(57)【要約】【課題】墜落制止用器具の付替え回数を減らして作業デッキ上の移動を容易にするガイド部材を備えたチュービング装置を提供する。【解決手段】チュービング装置は、作業デッキ２０の外縁に沿って着脱可能に設けられた複数の手摺部材３０を備え、複数の手摺部材のうちの隣接する一組の第１手摺部材３１，３１の上部に着脱可能に架け渡されるとともに、墜落制止用器具のフックを隣接する一組の第１手摺部材の幅方向に沿って摺動自在に係止させる第１ガイド部材３８を備えている。第１手摺部材は、水平方向に延びる把持部３１ａと、該把持部の両端に設けられた左右一対の支柱部３１ｃ，３１ｃとを有して形成され、第１ガイド部材は、水平方向に延びる係止部３８ａと、該係止部の両端に設けられるとともに、隣接する一組の第１手摺部材の互いに遠い方の支柱部に着脱可能な左右一対の取付脚部３８ｃ，３８ｃとを有して形成されている。【選択図】図４
2020125610.tif 000002
【特許請求の範囲】
【請求項１】
地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシング挿通孔とを備え、前記チャックフレームの上に、前記ケーシング挿通孔の内径に対応した内径を有する開口部を備えた作業デッキと、該作業デッキの外縁に沿って着脱可能に設けられた複数の手摺部材とを備えたチュービング装置において、前記複数の手摺部材のうちの隣接する一組の手摺部材の上部に着脱可能に架け渡されるとともに、墜落制止用器具のフックを前記隣接する一組の手摺部材の幅方向に沿って摺動自在に係止させるガイド部材を備えていることを特徴とするチュービング装置。
【請求項２】
前記手摺部材は、水平方向に延びる把持部と、該把持部の両端に設けられた一対の支柱部とを有して形成され、前記ガイド部材は、水平方向に延びる係止部と、該係止部の両端に設けられるとともに、前記隣接する一組の手摺部材の互いに遠い方の支柱部に着脱可能な一対の取付脚部とを有して形成されていることを特徴とする請求項１記載のチュービング装置。
【請求項３】
前記ガイド部材は、前記一対の取付脚部を前記隣接する一組の手摺部材の対応する前記支柱部にそれぞれ取り付けた状態で、前記係止部の上下方向の位置が前記把持部よりも上方に位置され、前記取付脚部は、前記係止部に係止された前記墜落制止用器具のフックが前記取付脚部を通じて前記把持部よりも下方に移動することを規制する突出部が設けられていることを特徴とする請求項２記載のチュービング装置。
【請求項４】
前記ガイド部材は、前記一対の取付脚部間を連結する補強部を有し、該補強部は、前記突出部を兼ねるように形成されていることを特徴とする請求項３記載のチュービング装置。
【請求項５】
前記手摺部材は、前記一対の支柱部のそれぞれの側面に前記取付脚部を選択的に着脱可能に挿入する筒状のガイド取付部材が設けられていることを特徴とする請求項２乃至４のいずれか１項記載のチュービング装置。
【請求項６】
前記開口部の周縁と前記作業デッキの外縁とが接近している部分には、前記作業デッキの外方に突出する拡幅デッキを備えることによって作業者が歩行可能な渡り通路が設けられ、前記隣接する一組の手摺部材は、前記拡幅デッキの外縁に沿って着脱可能に設けられていることを特徴とする請求項１乃至５のいずれか１項記載のチュービング装置。
【発明の詳細な説明】
【技術分野】
【０００１】
本発明は、チュービング装置に関し、詳しくは、建築、土木の基礎工事で地中へのケーシングの圧入や引き抜きを行うチュービング装置に関する。
【背景技術】
【０００２】
ケーシングチューブを回転させながら地中に圧入したり、引き抜いたりするチュービング装置では、ケーシングの挿入や着脱、コンクリートの注入などの作業をする際の転落事故を防止するため、複数の手摺部材をチュービング装置本体の上面に設けた作業デッキの外縁に沿って設けたり、ケーシングチューブ挿通孔の周囲にリング状に設けたりすることが行われている。これらの手摺部材には、製作が容易で、強度的にも優れているパイプ材が用いられていることから、フックを備える安全帯などの墜落制止用器具を取り付ける対象としても利用されている（例えば、特許文献１，２参照。）。
【先行技術文献】
【特許文献】
【０００３】
【特許文献１】特開２００１−３２９７７５号公報
【特許文献２】特開２０１５−４０４３４号公報
【発明の概要】
【発明が解決しようとする課題】
【０００４】
しかし、上述の手摺部材は、チュービング装置を輸送する際の着脱性などを考慮して、幅狭な形状に形成されているため、作業デッキ上を移動するときには、墜落制止用器具のフックを隣接する手摺部材間で頻繁に付け替える必要があり、その作業が煩雑であった。また、手摺部材の両側曲げ部においてフックの取付位置が下がることから、安全性を低下させる要因にもなっていた。
【０００５】
そこで本発明は、墜落制止用器具の付替え回数を減らして作業デッキ上の移動を容易にするガイド部材を備えたチュービング装置を提供することを目的としている。
【課題を解決するための手段】
【０００６】
上記目的を達成するため、本発明のチュービング装置は、地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシング挿通孔とを備え、前記チャックフレームの上に、前記ケーシング挿通孔の内径に対応した内径を有する開口部を備えた作業デッキと、該作業デッキの外縁に沿って着脱可能に設けられた複数の手摺部材とを備えたチュービング装置において、前記複数の手摺部材のうちの隣接する一組の手摺部材の上部に着脱可能に架け渡されるとともに、墜落制止用器具のフックを前記隣接する一組の手摺部材の幅方向に沿って摺動自在に係止させるガイド部材を備えていることを特徴としている。
【０００７】
また、前記手摺部材は、水平方向に延びる把持部と、該把持部の両端に設けられた一対の支柱部とを有して形成され、前記ガイド部材は、水平方向に延びる係止部と、該係止部の両端に設けられるとともに、前記隣接する一組の手摺部材の互いに遠い方の支柱部に着脱可能な一対の取付脚部とを有して形成されていることを特徴とし、さらに、前記ガイド部材は、前記一対の取付脚部を前記隣接する一組の手摺部材の対応する前記支柱部にそれぞれ取り付けた状態で、前記係止部の上下方向の位置が前記把持部よりも上方に位置され、前記取付脚部は、前記係止部に係止された前記墜落制止用器具のフックが前記取付脚部を通じて前記把持部よりも下方に移動することを規制する突出部が設けられていることを特徴としている。
【０００８】
また、前記ガイド部材は、前記一対の取付脚部間を連結する補強部を有し、該補強部は、前記突出部を兼ねるように形成されていることを特徴とし、前記手摺部材は、前記一対の支柱部のそれぞれの側面に前記取付脚部を選択的に着脱可能に挿入する筒状のガイド取付部材が設けられていることを特徴としている。さらに、前記開口部の周縁と前記作業デッキの外縁とが接近している部分には、前記作業デッキの外方に突出する拡幅デッキを備えることによって作業者が歩行可能な渡り通路が設けられ、前記隣接する一組の手摺部材は、前記拡幅デッキの外縁に沿って着脱可能に設けられていることを特徴としている。
【発明の効果】
【０００９】
本発明のチュービング装置によれば、墜落制止用器具のフックを摺動自在に係止させるガイド部材が、隣接する一組の手摺部材の上部に着脱可能に架け渡されているので、フックの付替え回数を減らして、デッキ上の移動を容易にすることができる。また、ガイド部材が、係止部の両端に設けた一対の取付脚部を、隣接する一組の手摺部材の互いに遠い方の支柱部にそれぞれ着脱可能に形成されているので、係止部の長さを最大限に利用して、フックの付替えを要することなく手摺幅方向に移動可能な範囲を拡大することができる。さらに、取付脚部に設けた突出部によってフックを手摺部材の把持部よりも下方に移動させないように規制するので、ガイド部材の両端部においてフックの取付位置が作業者の腰の位置よりも低くなる不都合がなくなり、しかも、一対の取付脚部間を連結する補強部が前記突出部を兼ねるように形成されているので、墜落制止用器具の安全機能を得るために必要な強度を確保しつつ、安価にガイド部材を製作することができる。
【００１０】
また、手摺部材には、一対の支柱部のそれぞれの側面に筒状のガイド取付部材を設けており、該ガイド取付部材に対してガイド部材の取付脚部を選択的に着脱可能になっているので、手摺部材の部品共通化が図れるとともに、組立時には手摺部材の装着位置を迷うことなく従来と同様に取り扱うことができる。特に、手摺部材にガイド取付部材を追加するだけの簡単な構成であることから、既存の手摺部材にも改造などで容易に適用できる。さらには、輸送時、保管時に手摺部材を纏めて収納しても嵩張らず、作業デッキに手摺部材を上げ下ろしする作業を妨げることもない。
【図面の簡単な説明】
【００１１】
【図１】本発明の一形態例を示すチュービング装置の正面図である。
【図２】同じく側面図である。
【図３】同じく平面図である。
【図４】同じく要部正面図である。
【図５】同じく要部側面図である。
【発明を実施するための形態】
【００１２】
図１乃至図５は、本発明のチュービング装置の一形態例を示している。本形態例に示すチュービング装置１１は、図１乃至図３に示すように、地上に据え付けられるベースフレーム１２と、該ベースフレーム１２の上方に昇降シリンダ１３を介して昇降可能に設けられたドライブフレーム１４と、該ドライブフレーム１４の上方にチャックシリンダ１５を介して昇降可能に設けられたチャックフレーム１６とを備えており、前記ベースフレーム１２、ドライブフレーム１４及びチャックフレーム１６の中央部には、鉛直方向に貫通して同軸上に配置されたケーシング挿通孔１７が設けられている。
【００１３】
チャックフレーム１６の内周には、ケーシングチューブ（図示せず）を把持するための複数のチャック１８が周方向に等間隔で設けられている。また、チャックフレーム１６の上面には、ケーシング挿通孔１７の内径に対応した内径を有する開口部１９を備えた作業デッキ２０が設けられている。さらに、チャックフレーム１６の側面には、作業デッキ２０に昇降するための梯子２１が設けられている。
【００１４】
作業デッキ２０は、作業者が歩行可能な足場２２が設けられており、この足場２２には、４枚に分割された足場板２３，２４，２５，２６を組み合わせて配置することによって中央部に前記開口部１９が形成されている。また、チャックフレーム１６の一方の長辺１６ａ側に配置される足場板２３，２４は、該長辺１６ａ側の側辺２３ａ，２４ａを長辺１６ａから外方に突出する形状に形成され、他方の長辺１６ｂ側に配置される足場板２５，２６は、該長辺１６ｂ側の側辺２５ａ，２６ａを長辺１６ｂから突出しない形状に形成されている。足場板２５，２６の側辺２５ａ，２６ａ部分には、踏み板２７を備えた拡幅デッキ２８，２８が着脱可能に設けられている。この踏み板２７，２７は、足場板２３，２４が長辺１６ａから外方に突出する幅と略同幅に形成されている。これにより、開口部１９の周縁と作業デッキ２０の外縁とが接近している両側部分の足場領域は、渡り通路２９，２９となって足場板２３，２４間又は足場板２５，２６間の行き来を可能にしている。
【００１５】
作業デッキ２０及び拡幅デッキ２８の外縁部には、転落防止用の複数の手摺部材３０が着脱可能に設けられている。手摺部材３０は、パイプ材などを組み合わせて形成されることによって安全基準に対応するもので、高さ寸法を共通にして幅寸法が異なる３種類の第１手摺部材３１、第２手摺部材３２及び第３手摺部材３３が用いられている。開口部１９を囲む四方の位置には幅寸法が最大の第１手摺部材３１が６本、四隅部の位置には第１手摺部材３１に対して半分の幅寸法の第２手摺部材３２が４本、渡り通路２９が設けられていない作業デッキ２０の両側部分であって梯子２１と並ぶ位置には、第２手摺部材３２よりも僅かに幅狭の第３手摺部材３３が２本、合計で１２本の手摺部材３０が設けられている。
【００１６】
第１手摺部材３１、第２手摺部材３２及び第３手摺部材３３は、基本的に同一の形状を有しており、水平方向の把持部３１ａ，３２ａ，３３ａと、各把持部３１ａ，３２ａ，３３ａの両端に曲げ部３１ｂ，３２ｂ，３３ｂを介して設けられた左右一対の支柱部３１ｃ，３２ｃ，３３ｃと、各支柱部３１ｃ，３２ｃ，３３ｃの下部に設けられた鍔部３１ｄ，３２ｄ，３３ｄと、各支柱部３１ｃ，３２ｃ，３３ｃ間を連結する上下一対の横桟３１ｅ，３２ｅ，３３ｅとで形成され、幅広の第１手摺部材３１には、把持部３１ａの中央部と上下の横桟３１ｅ，３１ｅとを連結する縦桟３１ｆが設けられている。また、左右一対の支柱部３１ｃ，３２ｃ，３３ｃのそれぞれの上部側面には、後述するガイド部材３４が着脱可能な筒状のガイド取付部材３５が設けられている。
【００１７】
一方、作業デッキ２０及び拡幅デッキ２８の外縁部には、各手摺部材３１，３２，３３の支柱部３１ｃ，３２ｃ，３３ｃに対応した位置に、筒状の手摺取付部材３６がそれぞれ設けられており、各手摺取付部材３６に対応した手摺部材３１，３２，３３の支柱部３１ｃ，３２ｃ，３３ｃの下部を手摺取付部材３６の内部に挿入し、鍔部３１ｄ，３２ｄ，３３ｄが手摺取付部材３６の上端に当接した状態で固定部材３７を取り付けることにより、各手摺部材３１，３２，３３が所定の位置にそれぞれ固定される。このとき、第１手摺部材３１及び第３手摺部材３３は、作業デッキ２０及び拡幅デッキ２８の外縁部において、ガイド取付部材３５を外側面に配置する向きで固定されることにより、ガイド取付部材３５を設けていない内側面同士が開口部１９を挟んで対向するようにそれぞれ配置される（図３）。
【００１８】
ガイド部材３４は、墜落制止用器具のフック（図示せず）を手摺部材３０の幅方向に沿って摺動自在に係止させるもので、複数の手摺部材３０のうちの隣接する一組の手摺部材３１，３３の上部に着脱可能に架け渡されている。このガイド部材３４は、パイプ材などを組み合わせて形成されており、高さ寸法を共通にして幅寸法が異なる２種類の第１ガイド部材３８及び第２ガイド部材３９が用いられている。第１手摺部材３１同士が隣接する位置には幅広の第１ガイド部材３８が２本、第１手摺部材３１と第３手摺部材３３とが隣接する位置には幅狭の第２ガイド部材３９が２本、合計で４本のガイド部材３４が設けられている。
【００１９】
第１ガイド部材３８及び第２ガイド部材３９は、図４及び図５に示すように、基本的に同一の形状を有しており、墜落制止用器具のフックが係止される水平方向の係止部３８ａ，３９ａと、各係止部３８ａ，３９ａの両端に曲げ部３８ｂ，３９ｂを介して設けられるとともに、隣接する一組の手摺部材３１，３３の互いに遠い方の支柱部３１ｃ，３３ｃの上部に着脱可能な左右一対の取付脚部３８ｃ，３９ｃと、各取付脚部３８ｃ，３９ｃの下部に設けられた鍔部３８ｄ，３９ｄと、各取付脚部３８ｃ，３９ｃの上部間を連結する水平方向の補強部３８ｅ，３９ｅとで形成されている。そして、隣接する一組の手摺部材３１，３３に対応したガイド部材３８，３９の取付脚部３８ｃ，３９ｃの下部をガイド取付部材３５の内部に挿入し、鍔部３８ｄ，３９ｄがガイド取付部材３５の上端に当接した状態で固定部材４０を取り付けることにより、ガイド部材３８，３９が所定の位置にそれぞれ固定される。すなわち、ガイド部材３８，３９は、作業デッキ２０及び拡幅デッキ２８の外縁部の上方において、手摺部材３１，３３の外側面にそれぞれ配置される。
【００２０】
また、取付脚部３８ｃ，３９ｃにおける鍔部３８ｄ，３９ｄの高さ位置は、ガイド部材３８，３９の装着状態で、補強部３８ｅ，３９ｅが手摺部材３１，３３の把持部３１ａ，３３ａと略同一の高さになるように設定されている。ここで、補強部３８ｅ，３９ｅの両端部が、取付脚部３８ｃ，３９ｃの上部に設けられた突出部３８ｆ，３９ｆを兼ねるようにそれぞれ形成されていることから、墜落制止用器具のフックが曲げ部３８ｂ，３９ｂから滑り落ちた場合であっても、該フックが突出部３８ｆ，３９ｆ、つまり補強部３８ｅ，３９ｅに係止されて、取付脚部３８ｃ，３９ｃを通じて把持部３１ａ，３３ａよりも下方に移動することが規制される。
【００２１】
このように形成されたガイド部材３４を備えたチュービング装置１１は、ケーシングチューブの圧入などの作業を行う際には、作業デッキ２０及び拡幅デッキ２８の外縁部に、対応した幅寸法の複数の手摺部材３０をそれぞれ装着するとともに、隣接する一組の手摺部材３１，３３に、対応した幅寸法のガイド部材３８，３９をそれぞれ装着することにより、デッキからの転落事故を防止する。ここで、第１手摺部材３１及び第３手摺部材３３について、デッキ上に対向配置された手摺部材同士を反転させて付け替えることで、隣接する一組の手摺部材の互いに近い方の支柱部３１ｃ，３３ｃは遠い方の支柱部３１ｃ，３３ｃとして扱われ、また、その逆としても扱われる。すなわち、支柱部３１ｃ，３３ｃに設けられた左右一対のガイド取付部材３５，３５は、ガイド部材３８，３９の取付脚部３８ｃ，３９ｃの下部を選択的に着脱可能に挿入する。
【００２２】
このように、墜落制止用器具のフックを摺動自在に係止させるガイド部材３４が、隣接する一組の手摺部材３１，３３の上部に着脱可能に架け渡されているので、フックの付替え回数を減らして、デッキ上の移動を容易にすることができる。また、ガイド部材３８，３９が、係止部３８ａ，３９ａの両端に設けた左右一対の取付脚部３８ｃ，３９ｃを、隣接する一組の手摺部材３１，３３の互いに遠い方の支柱部３１ｃ，３３ｃにそれぞれ着脱可能に形成されているので、係止部３８ａ，３９ａの長さを最大限に利用して、フックの付替えを要することなく手摺幅方向に移動可能な範囲を拡大することができる。さらに、取付脚部３８ｃ，３９ｃに設けた突出部３８ｆ，３９ｆによってフックを手摺部材３１，３３の把持部３１ａ，３３ａよりも下方に移動させないように規制するので、各ガイド部材３８，３９の両端部においてフックの取付位置が作業者の腰の位置よりも低くなる不都合がなくなり、しかも、左右一対の取付脚部３８ｃ，３９ｃ間を連結する補強部３８ｅ，３９ｅが突出部３８ｆ，３９ｆを兼ねるように形成されているので、墜落制止用器具の安全機能を得るために必要な強度を確保しつつ、安価にガイド部材３８，３９を製作することができる。
【００２３】
また、手摺部材３１，３３には、左右一対の支柱部３１ｃ，３３ｃのそれぞれの側面に筒状のガイド取付部材３５を設けており、該ガイド取付部材３５に対してガイド部材３８，３９の取付脚部３８ｃ，３９ｃの下部を選択的に着脱可能になっているので、手摺部材３１，３３の部品共通化が図れるとともに、組立時には手摺部材３１，３３の装着位置を迷うことなく従来と同様に取り扱うことができる。特に、手摺部材３１，３３にガイド取付部材３５を追加するだけの簡単な構成であることから、既存の手摺部材にも改造などで容易に適用できる。さらには、輸送時、保管時に手摺部材３１，３３を纏めて収納しても嵩張らず、デッキに手摺部材３１，３３を上げ下ろしする作業を妨げることもない。
【００２４】
また、開口部１９の周縁と作業デッキ２０の外縁とが接近している部分には、拡幅デッキ２８を備えることによって作業者が歩行可能な渡り通路２９を設けるとともに、隣接する一組の手摺部材３１，３１を拡幅デッキ２８の外縁に沿って設けているので、渡り通路２９による足場板２５，２６間の行き来を可能にしつつ、比較的に幅狭な渡り通路２９においてフックの付替え操作を回避することが可能となり、デッキ上での安全な移動を確実なものとすることができる。
【００２５】
なお、本発明は、前記形態例に限るものではなく、デッキの構造や手摺部材の寸法などの条件に応じてガイド部材やガイド取付部材の構造、配置を適宜に変更することができる。また、手摺部材の組み合わせは任意であり、第１手摺部材や第３手摺部材を用いた組み合わせに第２手摺部材を含めてもよい。さらに、ガイド取付部材は、ガイド部材の取付脚部を抜き差し可能な内径を有していれば、板材やパイプ材などから形成することができる。加えて、ガイド部材に補強部を有しない構成では、例えば、リング状の部材で突出部を形成してフックの下方移動を防止することができる。
【符号の説明】
【００２６】
１１…チュービング装置、１２…ベースフレーム、１３…昇降シリンダ、１４…ドライブフレーム、１５…チャックシリンダ、１６…チャックフレーム、１６ａ，１６ｂ…長辺、１７…ケーシング挿通孔、１８…チャック、１９…開口部、２０…作業デッキ、２１…梯子、２２…足場、２３…足場板、２３ａ…側辺、２４…足場板、２４ａ…側辺、２５…足場板、２５ａ…側辺、２６…足場板、２６ａ…側辺、２７…踏み板、２８…拡幅デッキ、２９…渡り通路、３０…手摺部材、３１…第１手摺部材、３１ａ…把持部、３１ｂ…曲げ部、３１ｃ…支柱部、３１ｄ…鍔部、３１ｅ…横桟、３１ｆ…縦桟、３２…第２手摺部材、３２ａ…把持部、３２ｂ…曲げ部、３２ｃ…支柱部、３２ｄ…鍔部、３２ｅ…横桟、３３…第３手摺部材、３３ａ…把持部、３３ｂ…曲げ部、３３ｃ…支柱部、３３ｄ…鍔部、３３ｅ…横桟、３４…ガイド部材、３５…ガイド取付部材、３６…手摺取付部材、３７…固定部材、３８…第１ガイド部材、３８ａ…係止部、３８ｂ…曲げ部、３８ｃ…取付脚部、３８ｄ…鍔部、３８ｅ…補強部、３８ｆ…突出部、３９…第２ガイド部材、３９ａ…係止部、３９ｂ…曲げ部、３９ｃ…取付脚部、３９ｄ…鍔部、３９ｅ…補強部、３９ｆ…突出部、４０…固定部材
【図１】
2020125610.tif 000003
【図２】
2020125610.tif 000004
【図３】
2020125610.tif 000005
【図４】
2020125610.tif 000006
【図５】
2020125610.tif 000007